(57)【要約】【課題】ＤＮＡシーケンサによる分析結果を簡単に理解できるように表示し、分析者に分析結果全体を直感的に理解させることができる。【解決手段】複数の試料を複数のレーンで電気泳動により分析するにあたり、（ａ）上記電気泳動の分析条件、（ｂ）レーンの位置情報と異常パターンとの関連データ、及び（ｃ）電気泳動のクロマトグラムの異常値レベルに応じた警告レベルを備えたデータベースを準備し、分析された試料のクロマトグラムに関する警告パターンを作成し、作成されたパターンに警告が含まれる場合は、データベースから必要情報を検索し、作成された警告との関連を求め、求めた関連性を表示するマルチレーン電気泳動分析方法。また、その方法を実施するのに好適なマルチレーン電気泳動分析装置、その方法を実施するのに好適なマルチレーン電気泳動分析プログラム及び媒体を提供する。【選択図】図４
2005351690.tif 000002
【特許請求の範囲】
【請求項１】
複数の試料を複数のレーンで電気泳動により分析するにあたり、
（ａ）上記電気泳動の分析条件、（ｂ）レーンの位置情報、（ｃ）日及び／又は時刻情報と電気泳動装置情報とを関連付けたデータ、（ｄ）電気泳動のクロマトグラムの異常値レベルに応じた警告レベルデータ、及び（ｅ）上記位置情報と警告レベルとの関連データを含むデータベースを準備し、
分析された試料のクロマトグラムに関する警告パターンを作成し、
作成されたパターンに警告が含まれる場合は、データベースから必要情報を検索し、作成された警告との関連を求め、
求めた関連性を表示する、
ことを特徴とするマルチレーン電気泳動分析方法。
【請求項２】
上記データベースは更にタイタープレートのウエルの位置情報とを含むことを特徴とする請求項１記載のマルチレーン電気泳動分析方法。
【請求項３】
警告表示を、分析日と電気泳動装置番号とを対応付けて配列して表示することを特徴とする請求項１又は２記載のマルチレーン電気泳動分析方法。
【請求項４】
警告パターンの表示を、分析開始時刻と泳動路を対応付けて配列して表示することを特徴とする請求項１又は２記載のマルチレーン電気泳動分析方法。
【請求項５】
警告表示を、タイタープレートのウエルの位置情報に対応させて配列して表示することを特徴とする請求項１又は２記載のマルチレーン電気泳動分析方法。
【請求項６】
警告の分布から分析エラーの原因を推測して表示する警告表示を、分析日と電気泳動装置の番号と対応付けて配列して表示することを特徴とする請求項１〜５のいずれかに記載のマルチレーン電気泳動分析方法。
【請求項７】
表示された警告パターンにより、少なくとも１つの異常値の原因を推定し、推定された異常値の原因を取り除いて再度分析を実行することを特徴とする請求項１〜６記載の電気泳動分析方法。
【請求項８】
マルチレーン電気泳動装置と、
（ａ）上記電気泳動の分析条件、（ｂ）レーンの位置情報、（ｃ）日及び／又は時刻情報と電気泳動装置とを関連付けたデータ、（ｄ）電気泳動のクロマトグラムの異常値レベルに応じた警告レベルを備えたデータ、及び（ｅ）上記位置情報と警告レベルとを関連付けたデータを含むデータベースを準備し、
上記電気泳動装置において分析された試料のクロマトグラムに関する警告パターンを作成し、作成されたパターンに警告が含まれる場合は、データベースから必要情報を検索し、作成された警告との関連を求めるコンピュータと、
上記コンピュータに情報を入力する入力装置と、
上記コンピュータに接続され、コンピュータの演算結果を表示する表示装置と、
を有することを特徴とするマルチレーン電気泳動分析装置。
【請求項９】
上記表示装置は、表示画面の切り替えにより、タイタープレートの位置情報と警告パターンを表示することを特徴とする請求項８記載のマルチレーン電気泳動分析装置。
【請求項１０】
上記表示装置は、分析日と装置番号に対応付けて配列して警告表示をすることを特徴とする請求項８又は９記載のマルチレーン電気泳動分析装置。
【請求項１１】
上記表示装置は、分析開始時刻と泳動路とを対応付けて配列して警告パターンを表示することを特徴とする請求項８又は９記載のマルチレーン電気泳動分析装置。
【請求項１２】
上記表示装置は、タイタープレートのウエルの位置情報に対応させて配列して警告表示をすることを特徴とする請求項８又は９記載のマルチレーン電気泳動分析装置。
【請求項１３】
上記表示装置は、警告の分布により分析エラーの原因を推測して表示することを特徴とする請求項７に記載のマルチレーン電気泳動分析装置。
【請求項１４】
データベースに蓄えられた（ａ）電気泳動の分析条件、（ｂ）レーンの位置情報、（ｃ）日及び／又は時刻情報と電気泳動装置とを関連付けたデータ、（ｄ）電気泳動のクロマトグラムの異常値レベルに応じた警告レベルデータ、及び（ｅ）上記位置情報と警告レベルとを関連付けたデータを含むデータベースと、
パターンに警告が含まれる場合に、データベースから必要情報を検索し、作成された警告との関連を求める演算ソフトウエアと、
求めた関連性を表示するソフトウエアとを含む、
ことを特徴とするマルチレーン電気泳動分析プログラム。
【請求項１５】
警告表示を、タイタープレート配置に対応させて配列して表示することを特徴とする請求項１４記載のマルチレーン電気泳動分析プログラム。
【請求項１６】
警告の分布から分析エラーの原因を推測して表示する警告表示を、分析日付及び複数装置で配列して表示することを特徴とする請求項１４に記載のマルチレーン電気泳動分析プログラム。
【請求項１７】
（ａ）電気泳動の分析条件、（ｂ）レーン及び／又はタイタープレートの位置情報、（ｃ）分析日及び／又は時刻情報と異常パターンと電気泳動装置情報とを関連づけたデータ、（ｄ）電気泳動のクロマトグラムの異常値レベルに応じた警告レベルを含むデータ、及び（ｅ）上記位置情報と警告レベルとの関連データを記録したコンピュータにより読み出し可能な媒体。
【請求項１８】
分析日及び電気泳動装置番号とを対応付けるデータを表示するプログラムを含むことを特徴とする請求項１７記載の媒体。
【請求項１９】
分析開始時刻と泳動路とを対応付けて配列するデータを含むプログラムを含むことを特徴とする請求項１７記載の媒体。
【請求項２０】
警告の分布から分析エラーの原因を推測して表示する警告表示を、分析日と電気泳動装置番号と対応付けて配列するプログラムを含むことを特徴とする請求項１７に記載の媒体。
【発明の詳細な説明】
【技術分野】
【０００１】
本発明は、マルチレーン電気泳動分析方法、マルチレーン電気泳動分析装置、マルチレーン電気泳動分析プログラム及びコンピュータによる読み出し可能な媒体に関する。マルチレーン電気泳動は、複数のキャピラリを用いるマルチキャピラリ電気泳動、複数の電気泳動レーンを有する電気泳動ゲル板などを用いる方法を含む。
【背景技術】
【０００２】
ＤＮＡシーケンサによるマルチレーン分析では、１回の分析で、最大「プレートのウエル数」×「ウエルの蛍光色素数」だけデータを出力する。例えば、フラグメント解析では、３８４穴のプレートで４色の蛍光色素を使用して分析を行った場合には、１，５３６データを出力する。分析者は、これらすべてのデータを確認して、分析結果が有用であるかないかを判断する。さらに、データが有用でなかった場合、その原因を追究し次の分析へフィードバックしなければならない。
【０００３】
従来、これらのデータ確認作業、エラー原因追究作業は、１つ１つの分析データを分析者が目で確認することで行っているため、分析者にとって大きな負担となっていた。さらに、分析エラーの原因を特定するためには、その分析系で何が起こっているのかを全体的に把握したうえで、エラーが起こっている部分とその近傍を比較検討しなければならない。従来のような数値データのみの確認方法や、クロマトグラムを１つ１つ見ていくだけの確認方法では、各データ間の関連を認識することが困難であり、エラー判定を下すまでに多くの時間を要した。またエラーの原因を解明した場合でも、分析者の経験と勘に頼った定量的でないエラー判断が下されることが多かった。そのため、次回行う分析において、どのような改善を行うべきかどうか曖昧であり、熟練していない分析者の場合、何度も再分析を行わなければならないなど、時間とコストの面で問題があった。
【０００４】
又、特許文献１においては標本、生物体及び薬剤感受性を含む検査情報からノーダルツリー構造及び複合表示マトリックスを作成／保存することが開示されている。
【０００５】
【特許文献１】特開平６−２０９９０８号公報
【発明の開示】
【発明が解決しようとする課題】
【０００６】
この発明では、分析結果を一目で理解できるような表現を行ない、分析者に分析の全体像を直感的に理解させ、分析データの判断およびエラー原因の追究を迅速に行なえるようにすることを課題としている。また、直感的なデータ表示、定量的なデータ表示、Ｒａｗデータ（生データ）表示などを切り替えて表示することで、分析結果を様々な視点から観察できるようにすることを課題としている。
【課題を解決するための手段】
【０００７】
本発明は、複数の試料を複数のレーンで電気泳動により分析するにあたり、（ａ）上記電気泳動の分析条件、（ｂ）レーンの位置情報、（ｃ）日及び／又は時刻情報と電気泳動装置情報とを関連付けたデータ、（ｄ）電気泳動のクロマトグラムの異常値レベルに応じた警告レベルデータ、及び（ｅ）上記位置情報と警告レベルとの関連データを含むデータベースを準備し、分析された試料のクロマトグラムに関する警告パターンを作成し、作成されたパターンに警告が含まれる場合は、データベースから必要情報を検索し、作成された警告との関連を求め、求めた関連性を表示する、マルチレーン電気泳動分析方法を提供するものである。ここで時刻情報とはレーン毎の電気泳動を開始した時刻であり、装置番号とは複数代の電気泳動装置を用いた場合はその装置につけた識別番号であり、１台の電気泳動装置を用いた場合は、装置番号は付さなくとも良い。
【０００８】
また、本発明はマルチレーン電気泳動装置と、（ａ）上記電気泳動の分析条件、（ｂ）レーンの位置情報、（ｃ）日及び／又は時刻情報と電気泳動装置とを関連付けたデータ、（ｄ）電気泳動のクロマトグラムの異常値レベルに応じた警告レベルを備えたデータ、及び（ｅ）上記位置情報と警告レベルとを関連付けたデータを含むデータベースを準備し、上記電気泳動装置において分析された試料のクロマトグラムに関する警告パターンを作成し、作成されたパターンに警告が含まれる場合は、データベースから必要情報を検索し、作成された警告との関連を求めるコンピュータと、上記コンピュータに情報を入力する入力装置と、上記コンピュータに接続され、コンピュータの演算結果を表示する表示装置とを有するマルチレーン電気泳動分析装置を提供する。
【０００９】
更に、本発明は、データベースに蓄えられた（ａ）電気泳動の分析条件、（ｂ）レーンの位置情報、（ｃ）日及び／又は時刻情報と電気泳動装置とを関連付けたデータ、（ｄ）電気泳動のクロマトグラムの異常値レベルに応じた警告レベルデータ、及び（ｅ）上記位置情報と警告レベルとを関連付けたデータを含むデータベースと、
該パターンに警告が含まれる場合に、データベースから必要情報を検索し、作成された警告との関連を求める演算ソフトウエアと、求めた関連性を表示するソフトウエアとを含むマルチレーン電気泳動分析プログラムを提供するものである。
【００１０】
本発明は更に、（ａ）電気泳動の分析条件、（ｂ）レーンの位置情報、（ｃ）分析日及び／又は時刻情報と異常パターンと電気泳動装置情報とを関連づけたデータ、（ｄ）電気泳動のクロマトグラムの異常値レベルに応じた警告レベルを含むデータ、及び（ｅ）上記位置情報と警告レベルとの関連データを記録したコンピュータにより読み出し可能な媒体を提供する。媒体はフレキシブルディスク、磁気テープ、コンパクトディスク、メモリチップなど種々の形状がある。
【発明の効果】
【００１１】
本発明によれば、多数の電気泳動分析データの異常の発見と原因究明が簡単に行なえる効果がある。
【発明を実施するための最良の形態】
【００１２】
電気泳動分析は生体試料の増幅、標識化などの準備段階である前処理と、試料を電気泳動路において電気泳動する段階の２つを含む。前処理段階においては、タイタープレートなどを利用して、所定数の試料を準備する。例えば、タイタープレートの１２×８＝９６個のウエルにそれぞれ標識した試料を入れ、それをマイクロピペットで電気泳動装置のレーンに供給する。マルチキャピラリ電気泳動装置の場合は、各キャピラリに供給する。本発明はこの２段階を含む方法又は装置に適用される。９６個のウエルの試料に４種の標識を付けると、全体の試料数は３８４になる、この３８４種の電気泳動結果について、表１に示すようなデータの整理をする。全体平均との関係から、警告レベルを定めて、その色彩や表示方法を定める。具体例は後で説明する。警告レベルの数は任意であり、１つ以上あれば良いが、２以上好ましくは３〜４種が好ましい。
【００１３】
【表１】
2005351690.tif 000003
【００１４】
本発明によれば、分析の全体像を一目で分析者に直感的に理解させるため、ＤＮＡシーケンサの出力データにユーザが警告レベルを設定し、警告を任意の色相、彩度、明度で表現し、この警告を様々な条件で配列して表示することを最も主要な特徴とする。例えば、電気泳動のクロマトグラムのピーク高さが３０００以上を異常値であるとして、黒で表示し、８００〜３０００未満を正常値として白、５００〜８００未満も正常値として白、１００〜５００未満を異常値であるとして薄い黒（灰色）で表示し、１００未満を異常値として最も薄い黒（薄い灰色）と表示するように警告レベルを定めることが出来る。なお、表示する色彩は任意に選択することが出来、１種の色でも、複数の色でも良い。ここで警告レベルは、クロマトグラムの平均値を出して、閾値を越えているかどうかで決めることが出来る。上記表１にまとめた分析条件と警告とを参照することにより、異常値の原因が簡単に予測でき、またその対応策を容易に見出すことが出来る。
【００１５】
警告を分析日付及び複数装置で配列表示し、分析日の外部環境や装置故障による測定ミスであることを分析者に理解させる。警告を分析開始時刻及び泳動路で配列表示し、分析の時系列変化や泳動路ごとの測定の特徴を分析者に理解させる。警告をタイタープレート配置で配列表示し、前処理失敗による測定ミスを理解させる。これらの表示方法と、ＤＮＡシーケンサ出力データから計算できる統計データ、Ｒａｗデータ（クロマトグラム）、及び分析を行った条件を随時切り替えて表示させ、迅速な分析データの判断とエラー原因の追究、および様々な視点による分析データの観察を実現させる。また、エラー原因の見逃しを防ぐため、上述した各表示の警告分布から自動的にエラー原因を推測し表示することもひとつの特徴である。例えば、警告パターンがタイタープレート表示のほぼ全体に広がっていれば、試料の希釈率が不適切であったと予測することが出来、表１の希釈率を変えて再度電気泳動操作を行ない、その結果から条件が妥当であったかどうかが判定できる。
【００１６】
本発明のマルチレーン電気泳動分析方法において、警告表示を、分析日と電気泳動装置番号とを対応付けて配列して表示することができる。また、上記データベスはキャピラリ電気泳動装置において通常用いられるタイタープレートのウエルの位置情報を含むことが出来る。
【００１７】
また、警告パターンの表示を、分析開始時刻と泳動路を対応付けて配列して表示することができる。さらに、警告表示を、タイタープレートのウエルの位置情報に対応させて配列して表示することができる。警告の分布から分析エラーの原因を推測して表示する警告表示を、分析日と電気泳動装置の番号と対応付けて配列して表示してもよい。更に又、表示された警告パターンにより、少なくとも１つの異常値の原因を推定し、推定された異常値の原因を取り除いて再度分析を実行することが出来る。
【００１８】
本発明のマルチレーン電気泳動分析装置において、上記表示装置は、分析日と装置番号に対応付けて配列して警告表示をすることができる。また、上記表示装置は、分析開始時刻と泳動路とを対応付けて配列して警告パターンを表示することができる。更に、上記表示装置は、タイタープレートのウエル配置に対応させて配列して警告表示をすることができる。更に又、上記表示装置は、警告の分布により分析エラーの原因を推測して表示することができる。そして、上記表示装置は、分析日と装置番号とを対応付けて配列して警告表示することができる。
【００１９】
本発明の実施形態の一例として、マルチキャピラリ型ＤＮＡシーケンサを用いた相対発現頻度解析分析結果の表示について、添付図面を用いて説明する。
（実施例１）
まず、本実施例におけるサンプルの調製について説明する。図１はサンプル調製のフローチャートであり、図１０は本発明によるマルチレーン電気泳動分析装置の概略線図である。まず、分析装置は、電気泳動装置２、レーザ発振装置１４、検出装置４、コンピュータ６、入力装置８及びデータベース１２を備えている。データベース１２はコンピュータの記憶装置の一部に組み込まれている。
【００２０】
まず、１０１でヒトの異なる６種類の臓器からｍＲＮＡを抽出し、１０２でそれぞれｃＤＮＡ合成を行う。合成したｃＤＮＡを制限酵素により１０３において特定の部位で切断し、１０４で異なる臓器から抽出したｃＤＮＡであることを区別するために長さの異なるタグアダプタを結合させる。調整した６種類のｃＤＮＡを１０５で等量混合し、１０６で、３８４種の遺伝子特異的プライマ、および等量混合したｃＤＮＡと蛍光プライマの混合溶液を３８４穴タイタープレートに分注する。１０７でＰＣＲ反応を行う。即ち、任意の警告条件より、１サンプルに対して警告に対応した色相、彩度、明度を与え、格子状オブジェクトとして表示する。この格子状オブジェクトを、日付及び装置番号、分析開始時刻及び泳動路番号、タイタープレート配置（アドレス）などに対応して配列表示する。
【００２１】
次に、本実施例にかかわるキャピラリ型ＤＮＡシーケンサについて説明する。図２は、キャピラリ型ＤＮＡシーケンサの測定原理の概略図である。キャピラリ型ＤＮＡシーケンサは、複数本のキャピラリ２０１と称するガラス管にポリマーを充填し、サンプルを注入し、電圧を印加し、電気泳動により分子量の大きさに従って、タグ（標識）２０５、２０６付きのサンプル２０３、２０４を分離し、それをレーザー光２０２で励起し、その蛍光を検出装置２０７により検出する。図２では１本のキャピラリを示した。タイタープレートの１つのウエルに分注されたサンプルの測定が行われる。キャピラリ２０１に電圧を印加して電気泳動すると、短いＤＮＡ鎖２０３ほど早く、長いＤＮＡ鎖２０４ほど遅く泳動する。図１のフローで調整されたサンプルは、タグアダプタの長さの違いによって、図３に示すように、あたかも多型遺伝子座（電気泳動クロマトグラム）のように測定される。測定された結果は、バイナリファイルとして、１サンプルにつき１ファイルが出力される。
【００２２】
図４は、本発明によるＤＮＡシーケンサを用いた分析方法及び出力された分析結果を表示するための構成を示す概略図である。まず、ＤＮＡシーケンサから出力されたバイナリファイル４０１より、４０２で各サンプルにおいて、データベース４１０に格納されたＲａｗデータ、ピークの位置・高さ・底辺の長さ、タイタープレートの配置情報、分析開始時刻、レーン番号（キャピラリ番号）などのパラメータを抽出する。また、抽出したデータをもとに、定量的判定を行うための統計量（例えば、ピーク個数、平均ピーク高さ、最大ピーク高さ、泳動の乱れなどがある。泳動の乱れはピーク底辺長さを用いて評価する。）を計算する。とくにサイズマーカにおいては、ピーク高さのＣＶ値およびピーク底辺長さのＣＶ値も計算し、判定の基準とする。
【００２３】
４０３で、これらの情報と分析者が任意に入力する警告の条件（例えば、平均ピーク高さがある一定値以下、または一定値以上ならエラーなど又は異常値であるとする。）をもとに、１データの警告レベルを設定する。また、１分析における統計量（各警告レベルにおけるデータ数、平均ピーク高さなど）を計算する。以上の処理が終了した後、一覧情報表示状態４０４に移行する。一覧情報表示状態４０４は、分析者に分析全体の状況を直感的に示す表示方法である。一覧情報表示状態４０４では、１サンプルのデータは、例えば図５で示すような１つの格子状のオブジェクト５０１として表示される。この格子状オブジェクト５０１に対し、図４の４０３で設定した警告レベルに応じた任意の色相、明度、彩度を与える。この格子状オブジェクトを、以下に述べる方法で表示することにより、分析者が分析の全体像を直感的に理解できる。
【００２４】
図５は、図４の４０５状態の１つであり、格子状オブジェクト５０１を、分析日と複数装置の装置番号（電気泳動装置が１台の場合もあるが、この実施例では３台であることを示している）とを対応して配列して表示したものである。この表示方法では、測定日の外部環境による測定ミスや、分析装置の時間的な劣化や故障などを分析者に気付かせることができる。例えば、図５の（ｃ）・（３）のパターンを見れば、分析時間が経過するほど（画面の下方）、警告マークが連続して表示されているため、これは試薬や試料の劣化或いは分析者のミスによって異常が発生したのではないかという、予測が立てられる。また、画面（ｂ）・（３）においては、右から３番目のカラムに警告が表示されているので、これは当該キャピラリの欠陥による異常ではないかという予測が立てられる。
【００２５】
図６は、図４の４０５状態の１つであり、格子状オブジェクト５０１を、分析開始時刻及び泳動路で配列して表示したものである。この表示方法では、試薬の劣化などの時間的なデータの推移、特定泳動路への警告の集中などによる装置の状態を把握させることができる。この表示方法では、主に測定・泳動によるエラーの検出・確認が可能となる。この画面の下方に警告表示が集中していることから、分析時間の経過によって起こる異常、例えば試薬の劣化が発生したのではないかという予測が立てられる。又、この画像では、左から３番目のカラムに警告表示が集中していることから、当該キャピラリの異常が予測される。
【００２６】
図７は、図４の４０５状態の１つであり、タイタープレートの配置に対応させて配列して表示したものである。この表示方法では、ウエルの特定部分特に周辺部分における警告の集中から、分析者にコンタミネーションやチップの汚れ、外周部への警告集中などによる攪拌作業ミスなどに気付かせることができる。この表示方法では、主にＰＣＲや分注などの前処理部分でのエラーの検出・確認が可能となる。
【００２７】
図８は、図４の４０６状態であり、分析者に分析結果の定量性を示す表示方法である。１サンプル毎に、検出されたピーク位置・高さ・底辺長さ、ピーク平均高さ、ピーク最大値、サイズマーカの警告状態を数値で表示し、定量的評価を行うための指標を表示する。
【００２８】
図９は、図４の４０７状態であり、クロマトグラム群（Ｒａｗデータ）の一覧を表示する方法である。（ａ）は警告の対象とならない正常なクロマトグラムデータを示し、（ｂ）は警告レベル１よりも大きいクロマトグラムデータ群を示す。
【００２９】
１サンプルごとにクロマトグラム９０１を描画し、それの一覧を表示する。このとき、特定の警告レベルのデータのみを表示することが可能である。実際に設定した警告レベルが妥当であるかどうかを、実際の分析データと照らし合わせて確認するために使用することができる。また、従来どおり、１つずつクロマトグラムを参照したい場合に使用する。
【００３０】
図５〜図９を逐次切り替えて表示することにより、分析全体を把握しつつ異常又はエラーの確認が可能となり、さらにその原因を迅速に追究でき、なおかつ統計量による定量的判断、Ｒａｗデータまで戻った分析データの確認が素早く効率的に行なえる。
【００３１】
次に、上記の一覧表示とは別ウィンドウに、分析条件を表示する（図４の４０８）。これにより、現在考慮している分析結果が、どのような条件のもとで行われたのかを即座に確認でき、分析結果の判断に役立たせることができる。また、一覧情報表示４０４と照らし合わせて見ることで、次回行うべき分析条件の予測を行うことができる。
【００３２】
次に、警告の分布から、エラーの原因を推定し、それを表示する方法を示す（図４の４０９）。１サンプルは、タイタープレートの配置情報、分析開始時刻、キャピラリ番号などのパラメータを持っているので、これを利用してデータを分類する。例えば、同一キャピラリ番号のすべてのデータを母集団とし、その中で警告を示すデータの割合を求める。この割合がある一定基準を超えた場合、キャピラリ特異的なエラーが起きていることを表示する。また、分析開始時刻をもとに泳動の前半部分と後半部分にデータを分類する（より詳細な分類でも可）。このとき、前半部分の警告数に比べ後半部分の警告数がある基準を超えて出現していたら、試薬の劣化などの可能性が考えられるため、これを表示する。
【００３３】
また、タイタープレートの配置情報をもとに、プレートの外周部分と内周部分に分類する。このとき、内周部分の警告数に比べ外周部分の警告数がある基準を超えて出現していたら、攪拌作業ミスの可能性が考えられるため、これを表示する。また、タイタープレートの特定部分、例えば９６プレートにおいてウエル番号Ａ１，Ａ２，Ａ３，…，Ａ１２に警告があった場合、８連ピペットの１個目のチップが汚れている可能性が考えられる（ただし、８連ピペットを使用していた場合）。
【００３４】
同様にＡ１，Ｂ１，Ｃ１，…，Ｈ１の全てに警告があった場合、１２連ピペットの１個目のチップが汚れている可能性が考えられる（ただし、１２連ピペットを使用していた場合）。このように、タイタープレートの特定ウエルに警告が集中した場合、ピペットの特定のチップに汚れやコンタミネーションの可能性があることを表示する。また、これらのデータをデータベース４１０にしておくことで、過去のある一定期間のデータに対しても同様の確認作業を行うことができる。なお、異常又はエラーが推測されたならば、原則として、その分析作業を所定の同一条件又は修正された条件で再度実行する。
【００３５】
以上述べた本発明の実施例には、以下のような特徴と利点がある。
【００３６】
（１）データを日付及び複数装置で警告表示を配列する。
（イ）測定日の外部環境による測定ミスを分析者が目で容易に確認できる。特定装置に警告が集中した場合には、その装置の故障を直感的に判断できる。
（ロ）異常データの原因が装置によるものか、分析者の作業ミスによるものかを判断できるので、部品交換やメンテナンス依頼の判断材料となる。
【００３７】
（２）分析時刻及び泳動路で警告表示を配列する。
（イ）時間的な警告数の増加を直感的に認識することにより、試薬の劣化などの判断が容易にできる。電気泳動装置に使用するキャピラリのポリマーの交換を行うべきかどうかが判断できる。
（ロ）特定の泳動路に集中した警告を直感的に認識することにより、泳動装置のエラー判断が容易にできる。キャピラリの洗浄や、ポリマーの交換を行うべきかどうかが判断できる。
【００３８】
（３）タイタープレート配置に対応させて警告表示を配列する。
（イ）ある広がりを持った部分的な警告の出現により、攪拌作業のミスが判断できる。このような警告の分布は、特定のレーンや特定の日、時間に集中するのではないため、作業場の何らかのミスであると判断できる。これにより、再分析の際に攪拌に注意するべきであることが判断できる。
（ロ）例えばタイタープレートの表示パターンにある広がりを持った部分的な警告の出現がある場合は、チップの汚れやコンタミネーションによるエラーの可能性があると判断することができる。そのプレートは分注作業からやり直すべきであることが判断できる。
（ハ）全データが警告表示されている場合には、ＰＣＲ作業におけるプライマの入れ忘れなどが原因ではないかと即判断できる。この場合は、ＰＣＲ作業をやり直すべきであることが判断できる。
【００３９】
（４）表示方法を切り替える。
（イ）直感による判断、定量的判断、Ｒａｗデータによる判断をスムーズに切り替えて行うことが可能であり、データ判定の信頼度が向上する。
【００４０】
（５）分析条件を表示する。
（イ）分析条件と分析結果の関連性を即確認できる。
（ロ）一覧情報表示と照らし合わせることで、次回の分析条件を決定することができる。
【００４１】
（６）エラー原因を推測表示する。
（イ）エラー原因を表示することで、分析者がエラー原因を追究するための手助けとなる。
（ロ）エラー原因の見逃しを防ぐ。
【図面の簡単な説明】
【００４２】
【図１】本発明の実施例１にかかわるサンプル調整のフローチャートである。
【図２】マルチキャピラリ型ＤＮＡシーケンサの測定原理を説明する略図である。
【図３】ＤＮＡシーケンサが出力する出力データを示すクロマトグラムである。
【図４】本発明によるマルチレーン電気泳動分析方法の構成を示す概略図である。
【図５】警告を分析日と電気泳動装置の番号とを対応付けて配列して表示したパターンである。
【図６】警告を分析開始時刻と泳動路とを対応付けて配列して表示したパターンである。
【図７】警告をタイタープレートの配置に対応させて配列した表示したパターンである。
【図８】分析の統計情報の表示パターンである。
【図９】本発明の電気泳動分析装置により得られたサンプルのクロマトグラムの例を示したものである。
【図１０】本発明によるマルチレーン電気泳動分析装置の概略線図である。
【符号の説明】
【００４３】
２…マルチレーン電気泳動装置、４…検出装置、６…コンピュータ、８…入力装置、１０…表示装置、１２…データベース、２０１…キャピラリ、２０２…レーザ、２０３…ＤＮＡ鎖（短い）、２０４…ＤＮＡ鎖（長い）、４０１…ＤＮＡシーケンサの出力ファイル、４０５…直感的表示画面、４０６…統計情報表示画面、４０７…クロマトグラム表示画面、４０８…分析条件表示画面、４０９…エラー原因表示画面、４１０…分析データ保管用データベース、５０１…警告表示用格子状オブジェクト、９０１…１サンプルのクロマトグラム。
【図１】
2005351690.tif 000004
【図２】
2005351690.tif 000005
【図３】
2005351690.tif 000006
【図４】
2005351690.tif 000007
【図５】
2005351690.tif 000008
【図６】
2005351690.tif 000009
【図７】
2005351690.tif 000010
【図８】
2005351690.tif 000011
【図９】
2005351690.tif 000012
【図１０】
2005351690.tif 000013